(57)【要約】  本発明は、接触表面と、この接触表面を振動させる手段とを備えるタッチ・インターフェース（８００）に関し、前記振動手段は、前記表面に定常波を発生するために設けられる。前記接触表面は、前記タッチ・インターフェース（８００）を透視するための表面を形成する少なくとも１つの透明部分を有し、前記振動発生手段は、前記接触表面にリジッドに接続されるとともに、前記透明部分の周部上に配設される少なくとも１つのリジッドな圧電層（８００）を備える。前記インターフェース（８００）は、前記少なくとも１つのリジッドな圧電層（８００）が前記接触表面に対して非平行な平面に配設されていることを特徴とする。本発明は、又、そのようなインターフェースを使用するディスプレイ・スクリーンと、そのようなディスプレイ・スクリーンを使用する電気機器とにも関する。
2014513370.tif 000002
【特許請求の範囲】
【請求項１】
接触表面（１０２）と当該接触表面（１０２）に定常波を発生するために設けられる前記接触表面（１０２）を振動させるための手段（１１８，１２０，２０２，２０４，５００）とを有するタッチ・インターフェース（１００，２００，３００，４００，８００）であって、
前記接触表面（１０２）は、前記タッチ・インターフェース（１００，２００，３００，４００，８００）を通した観察表面を形成する少なくとも１つの透明部分を有し、そして  
前記振動手段は、前記接触表面（１０２）に強固に固定されるとともに、前記透明部分の周部上に配設される少なくとも１つのリジッドな圧電層を備え、そして
前記インターフェース（１００，２００，４００，８００）は、前記少なくとも１つのリジッドな圧電層が前記接触表面（１０２）に対して非平行な平面に配設されていることを特徴とする、タッチ・インターフェース（１００，２００，３００，４００，８００）。
【請求項２】
前記少なくとも１つの圧電層は、前記接触表面（１０２）に対して４５度〜９０度の角度を有する平面に配設されている、請求項１に記載のインターフェース（１００，２００，４００，８００）。
【請求項３】
前記少なくとも１つの圧電層は、前記接触表面（１０２）に対して鉛直な平面に配設されている、請求項１又は２に記載のインターフェース（１００，２００，４００，８００）。
【請求項４】
前記接触表面（１０２）に強固に固定された複数のリジッドな圧電層（１１８，１２０，２０２，２０４，５００）を有し、少なくとも２つの圧電層（１１８，１２０；２０２，２０４；  １１８，２０２）は、前記接触表面の同じ側に配設されている、請求項１〜３のいずれか１項に記載のインターフェース（１００，２００，４００，８００）。
【請求項５】
前記接触表面（１０２）に強固に固定された複数のリジッドな圧電層（１１８，１２０）を有し、少なくとも２つの圧電層（１１８，１２０）は、前記接触表面（１０２）の一方側と他方側とに配設されている請求項１〜４のいずれか１項に記載のインターフェース（３００）。
【請求項６】
前記接触表面（１０２）は、コンタクト・プレートと呼ばれるプレート（１０６）によって形成され、そして
少なくとも１つの圧電層（１１８，１２０，２０２，２０４，５００）は、支持プレートと呼ばれるリジッドプレート（５０２）を含み、
前記少なくとも１つの支持プレート（５０２）が、前記コンタクト・プレート（１０６）の断片（ｓｌｉｃｅ）上に配設されている、請求項１〜５のいずれか１項に記載のインターフェース（１００，２００，３００，４００，８００）。
【請求項７】
前記接触表面（１０２）は、コンタクト・プレートと呼ばれるプレート（１０６）によって形成され、そして
少なくとも１つの圧電層（１１８，１２０，２０２，２０４，５００）は、支持プレートと呼ばれるリジッドプレート（５０２）を含み、
前記少なくとも１つの支持プレート（５０２）は、そのエッジの一つによって前記コンタクト・プレート（１０６）上に配設されている、請求項１〜６のいずれか１項に記載のインターフェース（１００，２００，３００，４００，８００）。
【請求項８】
前記少なくとも１つの支持プレート（５０２）は、当該支持プレート（５０２）が前記コンタクト・プレート（１０６）の片側に向けてのみ突出する状態で、前記コンタクト・プレート（１０６）上に配設されている、請求項７に記載のインターフェース（１００，２００，３００，４００，８００）。
【請求項９】
少なくとも１つの支持プレート（５０２）は、銅または銅ベースの合金から形成されている、請求項６〜８のいずれか１項に記載のインターフェース。
【請求項１０】
前記接触表面（１０２）は、平行六面体形状を有し、二つの圧電層が前記平行六面体形状の二つの対向面（１１８，１２０；１１４，１１６）に配設されている、請求項１〜９のいずれか１項に記載のインターフェース（１００，２００，３００，８００）。
【請求項１１】
少なくとも１つの圧電層（１１８，１２０，２０２，２０４，５００）は、少なくとも二つの圧電セル（５０４）の列を含む、請求項１〜１０のいずれか１項に記載のインターフェース（１００，２００，３００，４００，８００）。
【請求項１２】
前記接触表面（１０２）は、透明ガラス、リジッドなプラスチック、ポリカーボネート、プレキシガラス、又は、これらの材料の少なくとも二つの任意の組み合わせから形成されている、請求項１〜１１のいずれか１項に記載のインターフェース（１００，２００，３００，４００，８００）。
【請求項１３】
前記表面を振動させるための手段は、前記圧電層（１１８，１２０，２０２，２０４，５００）のそれぞれに接続された電源手段（８０２）を含む、請求項１〜１２のいずれか１項に記載のインターフェース（１００，２００，３００，４００，８００）。  
【請求項１４】
更に、ユーザの指、又は、ポインタ、又は、これらのオプションの少なくとも二つの任意の組み合わせ、によって与えられる、位置、速さ、加速度および／又は力、又は圧力、を感知するための手段（８０４）を有する、請求項１〜１３のいずれか１項に記載のインターフェース（１００，２００，３００，４００，８００）。
【請求項１５】
更に、前記電源手段（８０２）によって提供される供給電気の、振幅、位相および／又は周波数、又はこれらの変数の少なくとも二つの任意の組み合わせを制御し変化させるための手段（８０６，８０８）を有する、請求項１３または１４のインターフェース（１００，２００，３００，４００，８００）。
【請求項１６】
請求項１〜１５のいずれか１項に記載のタッチ・インターフェース（１００，２００，３００，４００，８００）と、前記透明部分を通して見られるグラフィック・ディスプレイ・スクリーン（９０２）とを含む、電子装置のためのタッチ・ディスプレイ・スクリーン（９００）。
【請求項１７】
請求項１６のタッチ・ディスプレイ・スクリーン（９００）を有する、電子装置。
【発明の詳細な説明】
【技術分野】
【０００１】
本発明は、ディスプレイ・スクリーンに使用可能な振動接触表面を使用するタッチ・インターフェースと、更に、そのようなインターフェースを使用するディスプレイ・スクリーンとに関する。
【背景技術】
【０００２】
本発明の分野は、ディスプレイ・スクリーン用の振動タッチ・インターフェース、詳しくは、接触表面と当該接触表面において振動を発生させるための手段とを介した触覚手段によってテクスチュアまたは表面粗さを再現することを可能にするディスプレイ・スクリーン用インターフェースに関する。
【０００３】
現在、様々な振動タッチ・インターフェースが存在する。いくつかのタッチ・インターフェースは、感知される摩擦係数の制御を可能にする物理的原理を利用し、接触表面を構成するプレート内において超音波周波数で、マイクロメートルの大きさの振幅の振動が作り出される。指が前記接触表面に触れると、前記プレートと指との間に「空気クッション」（スクイーズ・フィルムまたは過圧ゾーン）が形成され、それによって指とプレートとの間の摩擦係数を減少させる。この摩擦係数の減少は、発生された振動の振幅の関数である。この振動を発生するために、圧電セラミックスが使用される。
【０００４】
本出願人によって出願された欧州特許第１９５６４６６号明細書（特許文献１）に記載のタッチ・インターフェースのような第１のカテゴリーの振動タッチ・インターフェースが知られている。このインターフェースは、接触表面と、当該接触表面を定常波、より具体的には、ラム波、によって振動させるためのトランスデューサ層とを有する。前記接触表面は、プレートの表面の一つによって構成され、前記トランスデューサ層は、このプレートの反対側の表面に配設されている。このようなインターフェースは、タッチ・ディスプレイ・スクリーンには使用不能である。
【０００５】
ディスプレイ・スクリーンに使用可能な他の振動タッチ・インターフェースとして、米国特許出願公開第２００９／０２８４４８５号明細書（特許文献２）に記載されているような振動タッチ・インターフェースがある。このインターフェースは、透明な接触表面、たとえば、ガラスプレート表面、と、当該接触表面上に配置された超音波トランスデューサとから構成されている。前記接触表面の一部は、当該接触表面を通して対象物を視覚的に観察することを可能にするものであり、従って、電子装置のタッチ・ディスプレイ・スクリーンに使用可能である。
【０００６】
しかし、特許文献２に記載のタッチ・インターフェースでは、その接触表面全体を、当該接触表面を通して対象物を見ることに使用することができない。言い換えると、この文献のタッチ・インターフェースをディスプレイ・スクリーンに使用するためには、ディスプレイ・スクリーンよりも大きな接触表面または、この接触表面よりも小さなディスプレイ・スクリーンを使用する必要がある。従って、前記接触表面として作用する前記コンタクト・プレートは、ディスプレイ用に使用可能な表面よりも大きな面積を占有する。
【先行技術文献】
【特許文献】
【０００７】
【特許文献１】欧州特許第１９５６４６６号明細書
【特許文献２】米国特許出願公開第２００９／０２８４４８５号明細書
【発明の概要】
【発明が解決しようとする課題】
【０００８】
本発明の目的は、コンタクト・プレートによって占有される全表面積に対して、公知の振動タッチ・インターフェースよりもディスプレイのために利用可能なより大きな接触表面を持つディスプレイ・スクリーン用の振動タッチ・インターフェースを提案することにある。
【０００９】
本発明のもう一つの目的は、接触表面の面積の全部をディスプレイのために利用可能な振動タッチ・インターフェースを提案することにある。
【課題を解決するための手段】
【００１０】
本発明は、接触表面と当該接触表面において定常波を発生させるための手段とを有するタッチ・インターフェースであって以下のように構成されたタッチ・インターフェースによってこれらの目的を達成することを可能にする。
前記接触表面は、前記タッチ・インターフェースを通した観察表面を形成する少なくとも１つの透明部分を有し、そして
前記振動手段は、前記接触表面にリジッドに固定されるとともに、前記透明部分の周部上に配設される少なくとも１つのリジッドな圧電層を備え、そして
前記インターフェースは、前記少なくとも１つのリジッドな圧電層が前記接触表面に対して非平行な、即ち、前記接触表面に対してゼロではない角度を有する、平面に配設されていることを特徴とする。
【００１１】
本発明による前記インターフェースにおいて、少なくとも１つのリジッドな圧電層が、前記接触表面にリジッドに固定されながら、前記接触表面に対して非平行な平面に配設されている。従って、前記少なくとも１つの圧電層は、前記接触表面上においてその幅よりも少ない空間を占有し、それにより全接触表面の面積に対して、ディスプレイに使用可能なより大きな表面積を有する。
【００１２】
これが本発明によるインターフェースがコンタクト・プレートによって占有される総表面積に対して、公知の振動タッチ・インターフェースと比較してディスプレイに使用可能な接触面が大きい理由である。更に、本発明によるインターフェースでは、前記接触表面の全部をディスプレイに使用することが可能である。
【００１３】
本発明によれば、少なくとも１つの圧電層を、前記接触表面に対して４５度〜９０度の角度を有する平面に配設することができる。
【００１４】
好適態様に依れば、少なくとも１つの圧電層は前記接触表面に対して鉛直な平面に配設される。この構成は、必要な総空間を増大させることなく、ディスプレイに使用可能な透明接触表面のサイズを最大にすることを可能にする。事実、この構成において、前記少なくとも１つの圧電層は、前記接触表面上において、まったく空間を占有しないか、もしくはほとんど空間を占有せず、それにより、全接触表面に対して、ディスプレイに使用可能なより大きな表面積を有する。
【００１５】
本発明によれば、各圧電層は、前記接触表面において、ラム波またはレイリー波、と呼ばれる定常音波、より詳しくは、約数十ｋＨｚのラム波、を発生するように構成されている。
【００１６】
本発明による前記インターフェースは、複数のリジッドな圧電層を備えることができ、これら圧電層は前記接触表面に対して強固に固定されるとともに、これら圧電層のそれぞれは前記接触表面に対して非平行な単数又は複数の平面、より詳しくは、そのそれぞれが前記接触表面に対して４５度〜９０度角度を有し、好適には、前記接触表面に対して鉛直な単数又は複数の平面に配設される。
【００１７】
この場合、前記接触表面の同じ側に少なくとも二つの前記層を配設することができる。前記接触表面のいずれかの側、換言すると、その二つの対向側に、少なくとも二つの層を配設することができる。
【００１８】
同様に、前記同じ平面に少なくとも二つの層を配設することができる。
【００１９】
更に、互いに対して平行な二つの平面に、又は、互いに対して鉛直な二つの平面に、少なくとも二つの層を配設することができる。
【００２０】
これらの例および実施例のすべてが互いに両立可能であることは勿論である。
【００２１】
本発明によるインターフェースを限定するものではない一つの具体的実施例において、
前記接触表面は、コンタクト・プレートと呼ばれるプレートによって形成され、そして
少なくとも１つの圧電層は、支持プレートと呼ばれるリジッドプレートを含む。
【００２２】
この場合、第１のオプションに依れば、少なくとも１つの支持プレートを、前記コンタクト・プレートのエッジに配設することができる。より具体的には、前記支持プレートを、当該支持プレートが前記コンタクト・プレートの片側に向けてのみ突出する状態で、前記コンタクト・プレートに取り付けることができる。
【００２３】
第２のオプションに依れば、少なくとも１つの支持プレートを、その断片（ｓｌｉｃｅｓ）の一つによって前記コンタクト・プレート上に配置することができる。
【００２４】
本発明による前記インターフェースは、たとえば、複数の圧電層を含み、そのうちの少なくとも１つは前記第１オプションによるものであり、もう一つは前記第２オプションによるものである。
【００２５】
いずれの場合においても、前記支持プレートと、前記コンタクト・プレートとは、適当な手段、たとえば、接着、によって組み付けることができる。
【００２６】
一具体的実施例に依れば、少なくとも１つの支持プレートを、銅、又は銅ベースの合金、によって形成することができる。銅は良好な共鳴板である。即ち、それは良好な品質係数を有する。更に、たとえば、セラミックスから成る圧電セルを銅に対して容易に接着することができ、これは導電材である。更に、銅は加工が容易である。
【００２７】
銅合金は更に良好な性能を有する。
【００２８】
別の実施例に依れば、前記支持プレートは、アルミニウムまたはスチールから形成することができる。
【００２９】
本発明による前記インターフェースの一実施例に依れば、前記接触表面は、平行六面体形状を有する。前記インターフェースは、この平行六面体形状の二つの対向面に配設された二つの圧電層を含む。
【００３０】
より詳しくは、前記二つの圧電層は、最も短い長さを有する二つの対向面に配設することができる。
【００３１】
少なくとも１つの圧電層は、少なくとも二つの圧電セルの列を含む。
【００３２】
前記圧電層が支持プレートを含む場合、少なくとも１つの圧電セルを、当該支持プレートに対して、たとえば、シアノアクリレート系接着剤、又は、エポキシ系接着剤等の高温で重合するその他の接着剤によって、接着することができる。
【００３３】
好適には、前記接触表面は、透明ガラス、リジッドな透明プラスチック、ポリカーボネート、プレキシガラス、又は、これらの透明材料のうちの少なくとも二つの任意の組み合わせ、又は、より一般的には、良好な品質係数または低い減衰率を有する単数又は複数の透明材料、から形成することができる。
【００３４】
前記接触表面は、好ましくは、その全部が透明である。
【００３５】
前記表面を振動させるための手段は、更に、前記圧電層のそれぞれに接続された電源手段を含むことができる。
【００３６】
好ましくは、本発明による前記インターフェースは、更に、ユーザの指、又は、ポインタ、又は、これらのオプションの少なくとも二つの組み合わせ、によって与えられる、位置、速さ、加速度および／又は力、又は圧力、を感知するための手段を含むことができる。
【００３７】
本発明による前記インターフェースは、好ましくは、前記電源手段によって提供される供給電気の、振幅、位相および／又は周波数、又はこれらの変数の少なくとも二つの任意の組み合わせ、を制御し変化させるための手段を含むことができる。
【００３８】
本発明の別の態様に依れば、本発明によるタッチ・インターフェースと、前記透明部分を通して見られるグラフィック・ディスプレイ・スクリーンとを含む、電子装置のためのタッチ・ディスプレイ・スクリーンが提案される。前記グラフィック・ディスプレイ・スクリーンは、ＬＣＤスクリーン、プラズマスクリーン、又は、その他のディスプレイ・スクリーンとすることができる。
【００３９】
又、本発明の別の態様に依れば、本発明によるタッチ・ディスプレイ・スクリーンを含む電子装置が提案される。当該装置は、たとえば、携帯電話、デジタル・タブレット、電子ゲーム機、又は、マルチメディアコンテンツを格納および／又は聴くための装置とすることができる。
【００４０】
その他の利点および特徴構成は、非限定的な実施例の詳細説明と、添付の図面とを参照することによって明らかになるであろう。
【図面の簡単な説明】
【００４１】
【図１】本発明によるインターフェースの複数の実施例の略図である。
【図２】本発明によるインターフェースの複数の実施例の略図である。
【図３】本発明によるインターフェースの複数の実施例の略図である。
【図４】本発明によるインターフェースの複数の実施例の略図である。
【図５】本発明による前記インターフェースにおいて使用される圧電層の略図である。
【図６】支持プレートをコンタクト・プレートに取り付ける方法を示す略図である。
【図７】支持プレートをコンタクト・プレートに取り付ける方法を示す略図である。
【図８】本発明によるインターフェース完成品の実施例の略図である。
【図９】本発明によるスクリーンの略図である。
【発明を実施するための形態】
【００４２】
これら図面において、複数の図面に示される部材は同じ参照符号を保持している。
【００４３】
図１〜図４は、本発明によるインターフェースの４つの実施例１００−４００の略図である。
【００４４】
実施例１００−４００のそれぞれにおいて、前記インターフェースは、ガラス等の透明材からなる、コンタクト、と呼ばれる、プレートの表面の一つ、たとえば、上方表面１０４、から構成される全体が透明な接触表面１０２を有する。前記ガラスプレート１０６は、前記上方表面の反対側の下方表面１０８を有する。
【００４５】
図１〜図４に示す非限定的実施例において、前記ガラスプレート１０６は、矩形形状と０．９ｍｍの厚みとを有している。最短側は側１１０と１１２であり、そのサイズは５９ｍｍであり、最長側は側１１４と１１６でありそのサイズは８３ｍｍである。
【００４６】
図１に示す実施例において、前記インターフェース１００は、前記接触表面１０２に対して鉛直な、最短の長さを有する対向側（対辺）１１０および１１２に配設された二つの圧電層１１８および１２０を有する。前記二つの圧電層１１８および１２０は、前記コンタクト・プレート１０６の同じ側、即ち、下方表面１０８の側から、突出している。  
【００４７】
図２に示す実施例において、前記インターフェース２００は、前記接触表面１０２に対して鉛直で、最短長を有する二つの対向側（対辺）１１０および１１２に配設された圧電層１１８および１２０を有する。前記インターフェース２００は、更に、同様に前記接触表面１０２に対して鉛直で、最長の対向側１１６および１１４に配設された更に二つの圧電層２０２および２０４を有する。前記４つの圧電層１１８および１２０、そして２０２および２０４は、前記コンタクト・プレート１０６の同じ側、即ち、前記下方表面１０８の側から突出している。前記層１１８および１２０は互いに対して平行であり、かつ、前記層２０２および２０４のそれぞれに対して鉛直であり、前記層１１８，１２０，２０２，２０４のそれぞれは、前記接触表面１０２に対して鉛直である。
【００４８】
図２に示す実施例において、前記インターフェース３００は、最短の長さを有するとともに、前記接触表面１０２に対して鉛直な、対向側（対辺）１１０および１１２に配置された二つの圧電層１１８および１２０を有する。前記圧電層の一方、即ち、前記層１１８はプレート１０６の下方表面１０８の側から突出しているのに対して、他方の圧電層、即ち、層１２０は、前記プレート１０６、即ち、前記接触表面、の上方表面１０６の側から突出している。換言すると、前記圧電層１１８および１２０は、前記接触表面１０２に対して鉛直であり、そのうち一方は、前記接触表面１０２のこの表面１０２の片側から、そして他方はその反対側から突出している。  
【００４９】
図４に示す実施例において、インターフェース４００は、最短長さを有するプレート１０６の側の一つ、即ち、前記接触表面１０２に対して鉛直な側１１０、に配設された圧電層１１８を有する。前記インターフェース２００は、更に、プレートの面のうち最長の長さを有する側、即ち、前記接触表面１０２に対して同様に鉛直な、側１１６、に配設されたもう一つの圧電層２０２を有している。前記二つの圧電層１１８および２０２は、前記コンタクト・プレート１０６の同じ側、即ち、前記接触表面１０２の反対側の面である、前記下方表面１０８から突出している。更に、前記層１１８および２０２は、互いに対して、かつ、前記接触表面１０２に対して鉛直である。
【００５０】
図１〜図４を参照して記載した非限定的実施例において、各圧電層は、支持体と呼ばれる銅プレート５０２から成り、その上に、複数の圧電セル５０４が図５に図示されているように配設されている。各圧延セルは、シアノアクリレート系接着剤、又は、エポキシ系接着剤等の高温で重合するその他の接着剤によって、接着することができる。一実施例に依れば、前記プレートのサイズは、０．９ｍｍ  ×  ５９ｍｍ  ×  ８３ｍｍである。
【００５１】
各圧電層は、図６および図７に示されている二つの構成の少なくとも一つによって前記コンタクト・プレート上に配設することができる。
【００５２】
図６に示す構成において、前記支持プレート５０２は、前記コンタクト・プレート１０６上またはそれに当接して配置されている。この構成は、接触表面の全部をディスプレイ用に使用可能であるという利点を有する。事実、この構成において、前記コンタクト・プレートは、前記全接触表面において、コンタクト・プレート１０６を通した観察の障害になることがない。
【００５３】
図７に示す構成において、前記支持プレート５０２は、そのエッジの一つによって前記コンタクト・プレート１０６上に配置されている。この構成は、より強固な構造が得られるという利点を有する。
【００５４】
たとえ、この構成において、前記コンタクト・プレートが前記接触表面を通した観察の方向に位置するとしても、その厚みが非常に薄いため、ディスプレイ用の表面の損失は非常に少ない。
【００５５】
いずれの構成が選択された場合でも、前記支持プレートは、たとえば、シアノアクリレート系接着剤、又は、エポキシ系接着剤等の高温で重合するその他の接着剤によって、前記コンタクト・プレート上に接着することができる。
【００５６】
本発明において、前記圧電セルは、もはや、振動プレートの下に接着されず、更に、この振動プレートの駆動は、波の二つのノード、より好ましくは、ノードの列、によって行われる。このレベルにおいて、これらのノードにおいて、前記圧電セルは、瞬間的な原動力を付与することを可能にする。上記例において、選択されるノードは、前記振動プレートのエッジに位置するノードであるが、前記透明プレートのサイズ、その厚み、および前記支持プレート（単数又は複数）の長さ、等の他のパラメータを採用することによって、他のノードからプレートを駆動することも可能である。
【００５７】
上記例において、使用したコンタクト・プレートは銅プレートであるが、もし必要であるならば、共振周波数に関するコンタクト・プレートに対する支持プレートの適合性を保持するために、このプレートのサイズ、より正確には、前記支持プレートの長さと厚み、とを適合させることによって、その他の材料も可能である。
【００５８】
更に、上記実施例において、前記圧電セルは支持プレートの片面にのみ図示されている。本発明に依れば、たとえば、同数のセルで接触表面のより大きな振動を得るために、両面に圧電セルを設けることも可能である。
【００５９】
上記実施例において、様々なプレートのエッジが直角を有するものとして記載したが、これらのエッジは、そのアセンブリによって単純な一方向の力ではなくトルクを伝達することが可能となり、かつ、支持プレートが、ノードとも呼ばれる中立ラインの振動に従ってコンタクト・プレート上に配置されるのであれば、支持プレートおよびコンタクト・プレートが相補的なプロファイルを有したり、あるいは、面取りされたエッジのような他のプロファイルを有することも可能である。ノードのラインの位置を同定するために、機械アセンブリのモード分析を得て、それに基づいてノードラインの位置を見つけるためのシミュレーションを行うことができる。
【００６０】
事実、本発明において、支持プレート（単数又は複数）による、コンタクト・プレート、その結果としての接触表面、の駆動は、ノードラインによって行われる。当業者にとって周知のノードラインについての詳細は欧州特許第１９５６４６６号明細書に記載されている。
【００６１】
図８は、本発明によるタッチ・インターフェースの作動の略図である。
【００６２】
図８に示す前記タッチ・インターフェース８００は、インターフェース１００の非限定的例として、インターフェースの圧電層に対して供給することを可能にする供給モジュール８０２を有している。前記インターフェース８００は、更に、接触表面１０２に置かれたユーザの指またはポインタの位置、速さ、および／又は加速度のセンサ８０４を有する。当該センサ８０４によって取得された単数又は複数のデータアイテムが、設定、たとえば、シミュレーションすることが望まれるテクスチュアの時間、の関数としてこれらのデータの空間−時間変換を行うモジュール８０６に提供される。この計算の結果はモジュール８０８に供給され、このモジュール８０８は、「スクイーズ膜」作用、前記テクスチュア、および／又はテクスチュアの向きを調節（モジュレート）する、より一般的には作り出されたタッチ作用を調節（モジュレート）するべく、前記圧電層に電圧を供給する前記供給モジュール８０２に圧力、周波数または位相設定を提供する。
【００６３】
図９は、本発明によるディスプレイ・スクリーン９００の略図である。
【００６４】
前記ディスプレイ・スクリーン９００は、前記インターフェース１００の非限定的具体例としての本発明によるタッチ・インターフェースと、ＬＣＤスクリーン等のディスプレイ手段とを有する。
【００６５】
本発明が上述した例に限定されるものでないことは勿論である。
【図１】
2014513370.tif 000003
【図２】
2014513370.tif 000004
【図３】
2014513370.tif 000005
【図４】
2014513370.tif 000006
【図５】
2014513370.tif 000007
【図６】
2014513370.tif 000008
【図７】
2014513370.tif 000009
【図８】
2014513370.tif 000010
【図９】
2014513370.tif 000011
【手続補正書】
【提出日】平成26年2月3日(2014.2.3)
【手続補正１】
【補正対象書類名】特許請求の範囲
【補正対象項目名】全文
【補正方法】変更
【補正の内容】
【特許請求の範囲】
【請求項１】
接触表面（１０２）と当該接触表面（１０２）に定常波を発生するために設けられる前記接触表面（１０２）を振動させるための振動手段（１１８，１２０，２０２，２０４，５００）とを有するタッチ・インターフェース（１００，２００，３００，４００，８００）であって、
−  前記接触表面（１０２）は、前記タッチ・インターフェース（１００，２００，３００，４００，８００）を通した観察表面を形成する少なくとも１つの透明部分を有し、そして
−  前記振動手段は、前記接触表面（１０２）に強固に固定されるとともに、前記透明部分の周部上に配設される少なくとも１つのリジッドな圧電層（１１８，１２０，２０２，２０４，５００）を備え、そして
前記タッチ・インターフェース（１００，２００，３００，４００，８００）は、前記少なくとも１つのリジッドな圧電層（１１８，１２０，２０２，２０４，５００）が前記接触表面（１０２）に対して非平行な平面に配設されていることを特徴とする、タッチ・インターフェース（１００，２００，３００，４００，８００）。
【請求項２】
前記少なくとも１つの圧電層（１１８，１２０，２０２，２０４，５００）は、前記接触表面（１０２）に対して４５度〜９０度の角度を有する平面に配設されている、請求項１に記載のタッチ・インターフェース（１００，２００，３００，４００，８００）。
【請求項３】
前記少なくとも１つの圧電層（１１８，１２０，２０２，２０４，５００）は、前記接触表面（１０２）に対して鉛直な平面に配設されている、請求項１又は２に記載のタッチ・インターフェース（１００，２００，３００，４００，８００）。
【請求項４】
前記接触表面（１０２）に強固に固定された複数のリジッドな圧電層（１１８，１２０，２０２，２０４，５００）を有し、少なくとも２つの圧電層（１１８，１２０；２０２，２０４；  １１８，２０２）は、前記接触表面の同じ側に配設されている、請求項１〜３のいずれか１項に記載のタッチ・インターフェース（１００，２００，４００，８００）。
【請求項５】
前記接触表面（１０２）に強固に固定された複数のリジッドな圧電層（１１８，１２０）を有し、少なくとも２つの圧電層（１１８，１２０）は、前記接触表面（１０２）の一方側と他方側とに配設されている請求項１〜４のいずれか１項に記載のタッチ・インターフェース（３００）。
【請求項６】
−  前記接触表面（１０２）は、コンタクト・プレートと呼ばれるプレート（１０６）によって形成され、そして
−  少なくとも１つの圧電層（１１８，１２０，２０２，２０４，５００）は、支持プレートと呼ばれるリジッドプレート（５０２）を含み、
前記少なくとも１つの支持プレート（５０２）が、前記コンタクト・プレート（１０６）の断片（ｓｌｉｃｅ）上に配設されている、請求項１〜５のいずれか１項に記載のタッチ・インターフェース（１００，２００，３００，４００，８００）。
【請求項７】
−  前記接触表面（１０２）は、コンタクト・プレートと呼ばれるプレート（１０６）によって形成され、そして
−  少なくとも１つの圧電層（１１８，１２０，２０２，２０４，５００）は、支持プレートと呼ばれるリジッドプレート（５０２）を含み、
前記少なくとも１つの支持プレート（５０２）は、そのエッジの一つによって前記コンタクト・プレート（１０６）上に配設されている、請求項１〜６のいずれか１項に記載のタッチ・インターフェース（１００，２００，３００，４００，８００）。
【請求項８】
前記少なくとも１つの支持プレート（５０２）は、当該支持プレート（５０２）が前記コンタクト・プレート（１０６）の片側に向けてのみ突出する状態で、前記コンタクト・プレート（１０６）上に配設されている、請求項７に記載のタッチ・インターフェース（１００，２００，３００，４００，８００）。
【請求項９】
少なくとも１つの支持プレート（５０２）は、銅または銅ベースの合金から形成されている、請求項６〜８のいずれか１項に記載のタッチ・インターフェース。
【請求項１０】
前記接触表面（１０２）は、平行六面体形状を有し、二つの圧電層が前記平行六面体形状の二つの対向面（１１８，１２０；１１４，１１６）に配設されている、請求項１〜９のいずれか１項に記載のタッチ・インターフェース（１００，２００，３００，８００）。
【請求項１１】
少なくとも１つの圧電層（１１８，１２０，２０２，２０４，５００）は、少なくとも二つの圧電セル（５０４）の列を含む、請求項１〜１０のいずれか１項に記載のタッチ・インターフェース（１００，２００，３００，４００，８００）。
【請求項１２】
前記接触表面（１０２）は、透明ガラス、リジッドなプラスチック、ポリカーボネート、プレキシガラス、又は、これらの材料の少なくとも二つの任意の組み合わせから形成されている、請求項１〜１１のいずれか１項に記載のタッチ・インターフェース（１００，２００，３００，４００，８００）。
【請求項１３】
前記表面を振動させるための手段は、前記圧電層（１１８，１２０，２０２，２０４，５００）のそれぞれに接続された電源手段（８０２）を含む、請求項１〜１２のいずれか１項に記載のタッチ・インターフェース（１００，２００，３００，４００，８００）。
【請求項１４】
更に、ユーザの指、又は、ポインタ、又は、これらのオプションの少なくとも二つの任意の組み合わせ、によって与えられる、位置、速さ、加速度および／又は力、又は圧力、を感知するための手段（８０４）を有する、請求項１〜１３のいずれか１項に記載のタッチ・インターフェース（１００，２００，３００，４００，８００）。
【請求項１５】
更に、前記電源手段（８０２）によって提供される供給電気の、振幅、位相および／又は周波数、又はこれらの変数の少なくとも二つの任意の組み合わせを制御し変化させるための手段（８０６，８０８）を有する、請求項１３または１４のタッチ・インターフェース（１００，２００，３００，４００，８００）。
【請求項１６】
請求項１〜１５のいずれか１項に記載のタッチ・インターフェース（１００，２００，３００，４００，８００）と、前記透明部分を通して見られるグラフィック・ディスプレイ・スクリーン（９０２）とを含む、電子装置のためのタッチ・ディスプレイ・スクリーン（９００）。
【請求項１７】
請求項１６のタッチ・ディスプレイ・スクリーン（９００）を有する、電子装置。
【手続補正２】
【補正対象書類名】明細書
【補正対象項目名】００４８
【補正方法】変更
【補正の内容】
【００４８】
図３に示す実施例において、前記インターフェース３００は、最短の長さを有するとともに、前記接触表面１０２に対して鉛直な、対向側（対辺）１１０および１１２に配置された二つの圧電層１１８および１２０を有する。前記圧電層の一方、即ち、前記層１１８はプレート１０６の下方表面１０８の側から突出しているのに対して、他方の圧電層、即ち、層１２０は、前記プレート１０６、即ち、前記接触表面、の上方表面１０４の側から突出している。換言すると、前記圧電層１１８および１２０は、前記接触表面１０２に対して鉛直であり、そのうち一方は、前記接触表面１０２のこの表面１０２の片側から、そして他方はその反対側から突出している。
【手続補正３】
【補正対象書類名】明細書
【補正対象項目名】００４９
【補正方法】変更
【補正の内容】
【００４９】
図４に示す実施例において、インターフェース４００は、最短長さを有するプレート１０６の側の一つ、即ち、前記接触表面１０２に対して鉛直な側１１０、に配設された圧電層１１８を有する。前記インターフェース４００は、更に、プレートの面のうち最長の長さを有する側、即ち、前記接触表面１０２に対して同様に鉛直な、側１１６、に配設されたもう一つの圧電層２０２を有している。前記二つの圧電層１１８および２０２は、前記コンタクト・プレート１０６の同じ側、即ち、前記接触表面１０２の反対側の面である、前記下方表面１０８から突出している。更に、前記層１１８および２０２は、互いに対して、かつ、前記接触表面１０２に対して鉛直である。
【国際調査報告】
2014513370.tif 000012
2014513370.tif 000013
2014513370.tif 000014
2014513370.tif 000015
2014513370.tif 000016
2014513370.tif 000017